(57)【要約】【課題】光ケーブルから引き出された光ファイバの余長に、外力による悪影響が及ぶことがなく、しかも設置作業を効率よく行うことができる接続用ケースを提供する。【解決手段】屋外側光ケーブル１１ｄから引き出された屋外側光ファイバ１１ａに、屋内側光ケーブル１２から引き出された屋内側光ファイバ１２ａを接続した接続部２０を収納する接続用ケース１。接続部２０を収納する外装ケース２と、外装ケース２内に設けられて光ケーブル１１ｄ、１２および光ファイバ１１ａ、１２ａを巻き取る巻取り部３とを備えている。巻取り部３は区画壁部３ａを備えている。区画壁部３ｂは、外装ケース２内部を、光ケーブル１１ｄ、１２を巻取る光ケーブル巻取り空間７と、光ファイバ１１ａ、１２ａを巻取る光ファイバ巻取り空間８とに区画する。【選択図】図２
2008039827.tif 000002
【特許請求の範囲】
【請求項１】
屋外の架空光配線網（１７Ａ）から引き落とされた屋外側光ケーブル（１１ｄ）から引き出された屋外側光ファイバ（１１ａ）に、宅内配線用の屋内側光ケーブル（１２）から引き出された屋内側光ファイバ（１２ａ）を接続した接続部（２０）を収納する接続用ケースであって、
前記接続部を収納する外装ケース（２）と、この外装ケース内に設けられて前記光ケーブル（１１ｄ、１２）および光ファイバ（１１ａ、１２ａ）を巻き取る巻取り部（３）とを備え、
この巻取り部が、区画壁部（３ａ）と、前記接続部を保持するホルダ（３ｂ）とを備え、
前記区画壁部は、前記外装ケース内部を、前記屋外側および屋内側光ケーブル巻取り用の光ケーブル巻取り空間（７）と、前記屋外側および屋内側光ファイバ巻取り用の光ファイバ巻取り空間（８）とに区画することを特徴とする接続用ケース（１）。
【請求項２】
光ケーブル（１１ｄ）から引き出された光ファイバ（１１ａ）に、別の光ケーブル（１９ｄ）から引き出された光ファイバ（１９ａ）を接続した接続部（２０）を収納する接続用ケースであって、
前記接続部を収納する外装ケース（２）と、この外装ケース内に設けられた巻取り部（３）とを備え、
この巻取り部が、区画壁部（３ａ）と、前記接続部を保持するホルダ（３ｂ）とを備え、前記光ケーブル（１１ｄ、１９ｄ）および前記光ファイバ（１１ａ、１９ａ）を巻き取り可能とされ、
前記区画壁部は、前記外装ケース内部を、前記光ケーブル巻取り用の光ケーブル巻取り空間（７）と、前記光ファイバ巻取り用の光ファイバ巻取り空間（８）とに区画することを特徴とする接続用ケース（１）。
【請求項３】
前記巻取り部は、前記外装ケースに対し回転することによって前記光ケーブルおよび前記光ファイバを巻き取りできることを特徴とする請求項１または２に記載の接続用ケース。
【請求項４】
前記ホルダは、前記区画壁部の前記光ファイバ巻取り空間側の面に形成され、前記ホルダの周囲に、前記光ファイバが巻き取りされることを特徴とする請求項１〜３のうちいずれか１項に記載の接続用ケース。
【請求項５】
前記区画壁部には、切欠き（６）が形成され、この切欠きは、前記光ケーブルまたは光ファイバを、前記光ケーブル巻取り空間と光ファイバ巻取り空間のうち一方から他方へ通過させることができることを特徴とする請求項１〜４のうちいずれか１項に記載の接続用ケース。
【発明の詳細な説明】
【技術分野】
【０００１】
本発明は、例えば、架空光配線網から引き落とされた屋外側光ケーブルに、宅内配線用の屋内側光ケーブルを接続した接続部を収納する接続用ケースに関する。
【背景技術】
【０００２】
ＦＴＴＨ（ＦＴＴＨ:Fiber To The Home）に代表される光アクセス網においては、回線引き落とし方式が広く採用されている（例えば特許文献１を参照）。回線引き落とし方式では、架空光配線網の光ファイバケーブルに設置したクロージャから加入者宅へ引き落とした屋外側光ケーブル（光ドロップケーブル等）が、加入者宅外側に取り付けた接続用ケースにて、宅内配線用の屋内側光ケーブル（光インドアケーブル等）と接続される。
前記接続用ケースには、屋外側光ケーブル端末から引き出した光ファイバ（光ファイバ素線等）と、屋内側光ケーブルから引き出した光ファイバ（光ファイバ素線等）とを接続する接続部が収納される。前記接続用ケースには、前記屋外側および屋内側の光ケーブルの余長と、これらから引き出された光ファイバの余長も収納される。
【特許文献１】特開平９−２８８２１７号公報
【発明の開示】
【発明が解決しようとする課題】
【０００３】
しかしながら、上述の接続用ケースは、光ケーブルおよび光ファイバの余長が収納されるため、接続用ケース内で、光ファイバ（光ファイバ素線等）が光ケーブルによって大きな力を受け、曲げが大きくなることなどにより光特性に影響が及ぶおそれがある。このため、光ケーブルおよび光ファイバの余長収納作業には慎重さが必要であり、設置作業に手間がかかる。
本発明は、このような事情に鑑みなされたものであって、その目的は、光ケーブルから引き出された光ファイバの余長に外力による悪影響が及ぶことがなく、しかも設置作業を効率よく行うことができる接続用ケースを提供することにある。
【課題を解決するための手段】
【０００４】
上述した課題を解決するために、本発明は、以下の手段の接続用ケースを提供する。
本発明の請求項１にかかる接続用ケースは、屋外の架空光配線網から引き落とされた屋外側光ケーブルから引き出された屋外側光ファイバに、宅内配線用の屋内側光ケーブルから引き出された屋内側光ファイバを接続した接続部を収納する接続用ケースであって、前記接続部を収納する外装ケースと、この外装ケース内に設けられて前記光ケーブルおよび光ファイバを巻き取る巻取り部とを備え、この巻取り部が、区画壁部と、前記接続部を保持するホルダとを備え、前記区画壁部が、前記外装ケース内部を、前記屋外側および屋内側光ケーブル巻取り用の光ケーブル巻取り空間と、前記屋外側および屋内側光ファイバ巻取り用の光ファイバ巻取り空間とに区画することを特徴とする。
本発明の請求項２にかかる接続用ケースは、光ケーブルから引き出された光ファイバに、別の光ケーブルから引き出された光ファイバを接続した接続部を収納する接続用ケースであって、前記接続部を収納する外装ケースと、この外装ケース内に設けられた巻取り部とを備え、この巻取り部が、区画壁部と、前記接続部を保持するホルダとを備え、前記光ケーブルおよび前記光ファイバを巻き取り可能とされ、前記区画壁部が、前記外装ケース内部を、前記光ケーブル巻取り用の光ケーブル巻取り空間と、前記光ファイバ巻取り用の光ファイバ巻取り空間とに区画することを特徴とする。
本発明の請求項３にかかる接続用ケースは、請求項１または２において、前記巻取り部が、前記外装ケースに対し回転することによって前記光ケーブルおよび前記光ファイバを巻き取りできることを特徴とする。
本発明の請求項４にかかる接続用ケースは、請求項１〜３のうちいずれか１つにおいて、前記ホルダが、前記区画壁部の前記光ファイバ巻取り空間側の面に形成され、前記ホルダの周囲に、前記光ファイバが巻き取りされることを特徴とする。
本発明の請求項５にかかる接続用ケースは、請求項１〜４のうちいずれか１つにおいて、前記区画壁部に、切欠きが形成され、この切欠きが、前記光ケーブルまたは光ファイバを、前記光ケーブル巻取り空間と光ファイバ巻取り空間のうち一方から他方へ通過させることができることを特徴とする。
【発明の効果】
【０００５】
本発明に係る接続用ケースによれば、巻取り部によって、外装ケース内部が光ケーブル巻取り空間と光ファイバ巻取り空間とに区画されるので、光ケーブルと光ファイバとを区分けして収納できる。このため、光ケーブルによって光ファイバに大きな力が加えられることがなく、光ファイバに無理な曲げが生じて光特性に悪影響が及ぶのを防ぐことができる。
また、光ケーブルを巻取りする際に、光ファイバに無理な曲げなどが生じないよう留意する必要が小さくなるため、設置作業を効率よく行うことができる。
【発明を実施するための最良の形態】
【０００６】
以下、本発明に係る接続用ケースについて、図面を参照しながら説明する。
図１は本発明の一例である接続用ケース１の施工例を示す図、図２は図１における接続用ケース１を示す拡大斜視図、図３は接続用ケース１の断面図、図４は接続用ケース１の第１のケース半体２ａの平面図、図５は巻取り部３を一方の面側から見た平面図、図６は巻取り部３を他方の面側から見た平面図である。
【０００７】
図１〜図６において、符号１１は光ドロップケーブル（屋外側光ケーブル）、１２は光インドアケーブル（屋内側光ケーブル）、１３は家屋、１４は家屋１３の外壁、１５は係止部品、１６はケーブル引留具、１７は架空光ファイバケーブル、１８は光クロージャである。
図１、図２に示すように、接続用ケース１は、加入者宅（家屋１３）の外壁１４近傍にて屋外設置される。
接続用ケース１は、架空光配線網１７Ａから引き落とされた光ドロップケーブル１１と、宅内配線用の光インドアケーブル１２とを接続した接続部２０を外装ケース２内に収納している。接続用ケース１は、光ドロップケーブル１１と光インドアケーブル１２との接続部２０を収納するため、責任分界点（以下、ＰＯＩとも言う。ＰＯＩ：Point of Interface）として機能する。
【０００８】
光ドロップケーブル１１は、架空光ファイバケーブル１７の光回線を加入者宅（家屋３）へ引き落とすためのものである。
光ドロップケーブル１１は、一端が、架空光ファイバケーブル１７に組み立てられた光クロージャ１８にて、架空光ファイバケーブル１７の光ファイバと接続されている。光ドロップケーブル１１は、光クロージャ１８から家屋外壁１４近傍まで架空布設され、他端が、接続用ケース１にて光インドアケーブル１２と接続されている。
【０００９】
図７は、光ドロップケーブル１１の断面構造の一例を示す。光ドロップケーブル１１は屋外側光ケーブルであり、断面略矩形状の光ファイバエレメント部１１ｄと、この光ファイバエレメント部１１ｄの側部に添えられた金属線１１ｅを被覆樹脂１１ｃによって被覆した支持線部１１ｆとを備えている。光ファイバエレメント部１１ｄは、光ファイバ１１ａ（屋外側光ファイバ）とその両側に配置した抗張力体１１ｂとを被覆樹脂１１ｃで一括被覆したものである。
光ファイバエレメント部１１ｄと支持線部１１ｆとの間は、被覆樹脂１１ｃの薄肉部１１ｇを介して繋がっており、薄肉部１１ｇを切り裂くように切断することで、支持線部１１ｆを光ファイバエレメント部１１ｄから分離できる。
光ファイバ１１ａは、光ファイバエレメント部１１ｄの断面中央部に埋設されており、光ファイバエレメント部１１ｄを、ノッチ１１ｈから２つに分割することで、光ファイバ１１ａを露出させることができる。
光ファイバエレメント部１１ｄは、光ドロップケーブル（屋外側光ケーブル）として機能する。以下、光ファイバエレメント部１１ｄを、光ケーブル１１ｄと称する場合がある。
光ファイバ１１ａは、ここでは光ファイバ素線であるが、単心の光ファイバ心線、多心の光ファイバテープ心線などであって良い。また、光ファイバ１１ａの本数は１本（図示例では１本の光ファイバ素線）に限定されず、複数本であっても良い。
抗張力体１１ｂは、光ファイバ１１ａに沿って縦添えされた線条体であり、その材質は、例えばＦＲＰ等である。支持線部１１ｆの金属線１１ｅとしては、例えば鋼線等が用いられる。
【００１０】
図８は、光インドアケーブル１２の断面構造の一例を示す。
図８に示す光インドアケーブル１２は、光ファイバ１２ａ（屋内側光ファイバ）とその両側に配置した抗張力体１２ｂを被覆樹脂１２ｃで一括被覆して断面略矩形状に形成したものであり、図７に示す光ドロップケーブル１１の光ファイバエレメント部１１ｄと同様の構成（光ドロップケーブル１１から支持線部１１ｆ、薄肉部１１ｇを省略した構成）になっている。符号１２ｄはノッチである。
光ファイバ１２ａは、ここでは光ファイバ素線であるが、単心の光ファイバ心線、多心の光ファイバテープ心線などであって良い。光ファイバ１２ａの本数も、１本に限定されず（図示例では１本の光ファイバ素線）、複数本であっても良い。
光インドアケーブル１２は屋内側光ケーブルであり、以下、光ケーブル１２ということがある。
【００１１】
図２に示すように、ケーブル引留具１６は、支持線部１１ｆの巻き付け固定用の突起１６ａ（巻き付け突起）が複数突設された細長板状の本体プレート１６ｂと、この本体プレート１６ｂの長手方向端部から延出されたループ状（あるいはリング状）の係止金具１６ｃとを備えている。符号１５は、家屋外壁１４に固定されたフック状の係止部品である。
光ドロップケーブル１１は、家屋１３側の端末部において支持線部１１ｆと光ケーブル１１ｄとが分離され、支持線部１１ｆが巻き付け突起１６ａに巻き付け固定される。この状態で、係止金具１６ｃを係止部品１５に係止することで、光ドロップケーブル１１は光クロージャ１８と家屋１３との間に張設される。
【００１２】
図２〜図４に示すように、接続用ケース１は、外装ケース２と、その内部に収容された巻取り部３とを備えている。
図２に示すように、外装ケース２は、巻取り部３を収容する本体部４と、本体部４からアーム状に延出する延出部５とを備えている。
図３に示すように、外装ケース２は、第１のケース半体２ａと第２のケース半体２ｂとからなる。第１のケース半体２ａは、基板部２ｄとその周縁に立設された側板部２ｅと備えている。第２のケース半体２ｂは、基板部２ｆとその周縁に立設された側板部２ｇと備えている。
ケース半体２ａ、２ｂは、例えば、これらの周縁部に形成された嵌合凸部と嵌合凹部（図示略）とを嵌合させることにより、一体化することができる。
【００１３】
図３および図４に示すように、第１のケース半体２ａの内面には、巻取り部３を回転自在に支持する支持部２ｃが形成されている。支持部２ｃは円筒状とされ、基板部２ｄの内面から、第２のケース半体２ｂに向けて突出して形成されている。
本体部４は、巻取り部３に沿う形状とし、巻取り部３を収容可能に形成するのが好ましい。図示例では略円形の巻取り部３に即して平面視略円形とされている。
図４に示すように、延出部５は、本体部４から巻取り部３の接線方向に延出し、先端に向かって本体部４の周方向に近づくように湾曲した形状とすることができる。図４において、延出部５は本体部４の上部から右方に延出し、先端部が下方を向くように湾曲している。
延出部５は、内部に光ケーブル１１ｄ、１２を配線できるように形成されており、先端部には、光ケーブル１１ｄ、１２が挿通する挿通口５ａが形成されている。
外装ケース２は、挿通口５ａ以外は、外部に開放された開口部がない構造とするのが防水性の点で好ましい。
【００１４】
図３〜図６に示すように、巻取り部３は、光ケーブル１１ｄ、１２および光ファイバ１１ａ、１２ａを巻き取るためのもので、略円板状の区画壁部３ａと、区画壁部３ａの一方の面に設けられたホルダ３ｂと、区画壁部３ａの他方の面に設けられたガイド体３ｃとを備えている。
図３に示すように、区画壁部３ａは、ケース半体２ａ、２ｂの基板部２ｄ、２ｆとほぼ平行とされている。
区画壁部３ａは、外装ケース２の本体部４の内部空間を２つに区画する。すなわち、外装ケース２の内部は、光ケーブル巻取り空間７と、光ファイバ巻取り空間８とに区画される。
光ファイバ巻取り空間８は、区画壁部３ａの一方の面（ホルダ３ｂが設けられた面）側の空間であり、光ケーブル巻取り空間７は、区画壁部３ａの他方の面（ガイド体３ｃが設けられた面）側の空間である。
【００１５】
区画壁部３ａの周縁部の一部には、切欠き６が形成されている。切欠き６は、光ケーブル１１ｄ、１２または光ファイバ１１ａ、１２ａの通路となるものであり、光ケーブル１１ｄ、１２または光ファイバ１１ａ、１２ａを、光ケーブル巻取り空間７と光ファイバ巻取り空間８のうち一方から他方へ通過させることができる。
切欠き６の形状は特に限定されないが、図示例では略扇形とされている。
【００１６】
ホルダ３ｂは、第１および第２の狭持片３ｄ、３ｅを備えており、狭持片３ｄ、３ｅによって接続部２０を両側から挟み込んで保持するようになっている。ホルダ３ｂは、接続部２０を区画壁部３ａのほぼ中央に保持することができる。
ガイド体３ｃは、円筒状に形成され、その内部に外装ケース２の支持部２ｃが嵌合するようになっている。巻取り部３は、ガイド体３ｃが支持部２ｃに嵌合した状態で、周方向に回転自在に支持部２ｃに支持される。
【００１７】
接続用ケース１は、ケーブル引留具１６に着脱可能に取付けるのが好ましい。例えば、接続用ケース１に、ケーブル引留具１６の本体プレート１６ｂに係止する係止片（図示略）を形成し、この係止片によって接続用ケース１をケーブル引留具１６に固定することができる。
接続用ケース１をケーブル引留具１６に取り付けることによって、家屋１３に取付具を固定する工事が不要となり、家屋１３を傷付ける心配が無く、しかも設置を簡単に行える。
【００１８】
図５に示すように、接続部２０は、光ケーブル１１ｄから引き出された光ファイバ１１ａと、光ケーブル１２の先端から引き出された光ファイバ１２ａとを接続したものである。
図示例では、接続部２０は、融着接続部である。
接続部２０は、メカニカルスプライスであってもよい。メカニカルスプライスとしては、光ファイバを挟み込む一対のクランプ部材からなる素子と、この素子を挟み込むバネなどのクランプ手段とを備え、前記クランプ部材に、光ファイバを位置決め調心する調心機構が形成されたものがある（例えば、特許第3675991号公報を参照）。接続部２０は、コネクタ接続であってもよい。
【００１９】
次に、図９〜図１３を参照しつつ、接続用ケース１の組み立て手順を説明する。
図９に示すように、光ケーブル１１ｄから引き出した光ファイバ１１ａと、光ケーブル１２から引き出した光ファイバ１２ａとを、融着などにより接続部２０において接続する。
次いで、図１０に示すように、ケース半体２ａ、２ｂの一方を他方から取外して巻取り部３を露出させ、接続部２０をホルダ３ｂに保持させる。
次いで、図１０に矢印で示すように、巻取り部３を区画壁部３ａの周方向に回転させる。これによって、光ファイバ１１ａ、１２ａの余長は、区画壁部３ａの光ファイバ巻取り空間８側の、ホルダ３ｂの周囲に巻き取りされる（図１１を参照）。
【００２０】
図１２および図１３に示すように、光ファイバ１１ａ、１２ａの巻取りが完了した後、さらに巻取り部３を回転させると、光ケーブル１１ｄ、１２の余長が巻き取られる。
この際、光ケーブル１１ｄ、１２（または光ファイバ１１ａ、１２ａ）を、切欠き６を経て光ケーブル巻取り空間７に導入することによって、光ケーブル１１ｄ、１２が光ケーブル巻取り空間７に巻き取られるようにする。
光ケーブル１１ｄ、１２の巻取りが完了したら、ケース半体２ａ、２ｂを結合させる。光ケーブル１１ｄ、１２は、延出部５を通過し挿通口５ａから外部に導出されるようにするのが好ましい。
【００２１】
接続用ケース１では、巻取り部３によって、外装ケース２内部が光ケーブル巻取り空間７と光ファイバ巻取り空間８とに区画されるので、光ケーブル１１ｄ、１２と光ファイバ１１ａ、１２ａとを区分けして収納できる。このため、光ケーブル１１ｄ、１２によって光ファイバ１１ａ、１２ａに大きな力が加えられることがなく、光ファイバ１１ａ、１２ａに無理な曲げが生じることがない。よって、光特性に悪影響が及ぶのを防ぐことができる。
また、光ケーブル１１ｄ、１２を巻取りする際に、光ファイバ１１ａ、１２ａに無理な曲げなどが生じないように留意する必要が小さくなるため、設置作業を効率よく行うことができる。
【００２２】
接続用ケース１は、巻取り部３の回転により光ケーブル１１ｄ、１２および光ファイバ１１ａ、１２ａを巻き取りできるため、余長収納操作が容易である。
また、光ファイバ１１ａ、１２ａがホルダ３ｂの周囲に巻き取りされるため、外装ケース２内のスペースを有効に利用でき、外装ケース２を小型化することができる。外装ケース２の小型化により、家屋１３の美観に与える影響を小さくできる。
【００２３】
図１および図２に示すように、接続用ケース１は延出部５の先端が下方に向く姿勢でケーブル引留具１６の下面側に取り付けるのが好ましい。これによって、雨水等が挿通口５ａなどから外装ケース２内に浸入するのを防止できる。
【００２４】
図１４は、接続用ケース１の他の施工例を示すものである。
符号１９は、光ドロップケーブル１１と同様の構成の光ドロップケーブルである。光ドロップケーブル１９は、光ファイバエレメント部１９ｄ（光ケーブル１９ｄ）と、支持線部１１ｆとを備えている。符号１９ａは光ケーブル１９ｄから引き出された光ファイバである。
光ケーブル１１ｄと光ケーブル１９ｄは、接続用ケース１の外装ケース２内に導入され、光ケーブル巻取り空間７において巻き取られ、これらから引き出された光ファイバ１１ａ、１９ａは光ファイバ巻取り空間８に巻き取られる。
【００２５】
なお、本発明は、上述の実施形態に限定されず、各種変更が可能である。
外装ケースを、光ドロップケーブルの支持線に取り付ける取付手段としては、外装ケースを、ケーブル引留具に取り付けるものに限定されず、支持線に直接取り付ける取付治具であっても良い。取付治具としては、例えば、支持線を挟み込んで固定するクランプ部を具備するもの等、各種構成のものを採用できる。
接続用ケースをケーブル引留具に固定する手段としては、タイラップ等の結束具などの機械的固定手段も採用できる。
【図面の簡単な説明】
【００２６】
【図１】本発明に係る接続用ケースの一例の設置例を示す斜視図である。
【図２】図１に示す接続用ケースを示す拡大斜視図である。
【図３】図１に示す接続用ケースを示す断面図である。
【図４】図１に示す接続用ケースの第１のケース半体の平面図である。
【図５】図１に示す接続用ケースの巻取り部を一方の面側から見た平面図である。
【図６】図１に示す接続用ケースの巻取り部を他方の面側から見た平面図である。
【図７】光ドロップケーブルの一例の断面構造を示す図である。
【図８】光インドアケーブルの一例の断面構造を示す図である。
【図９】図１に示す接続用ケースの設置作業を工程順に説明する工程図である。
【図１０】図１に示す接続用ケースの設置作業を工程順に説明する工程図である。
【図１１】図１に示す接続用ケースの設置作業を工程順に説明する工程図である。
【図１２】図１に示す接続用ケースの設置作業を工程順に説明する工程図である。
【図１３】図１に示す接続用ケースの設置作業を工程順に説明する工程図である。
【図１４】本発明に係る接続用ケースの一例の他の設置例を示す平面図である。
【符号の説明】
【００２７】
１…接続用ケース、２…外装ケース、３…巻取り部、３ａ…区画壁部、３ｂ…ホルダ、６…切欠き、７…光ケーブル巻取り空間、８…光ファイバ巻取り空間、１１…光ドロップケーブル、１１ａ…屋外側光ファイバ、１１ｄ…光ファイバエレメント部（屋外側光ケーブル）、１２…光インドアケーブル（屋内側光ケーブル）、１２ａ…屋内側光ファイバ、１３…家屋、１６…ケーブル引留具、１７Ａ…架空光配線網、１９…光ドロップケーブル、１９ａ…光ファイバ、１９ｄ…光ファイバエレメント部（光ケーブル）、２０…接続部。
【図１】
2008039827.tif 000003
【図２】
2008039827.tif 000004
【図３】
2008039827.tif 000005
【図４】
2008039827.tif 000006
【図５】
2008039827.tif 000007
【図６】
2008039827.tif 000008
【図７】
2008039827.tif 000009
【図８】
2008039827.tif 000010
【図９】
2008039827.tif 000011
【図１０】
2008039827.tif 000012
【図１１】
2008039827.tif 000013
【図１２】
2008039827.tif 000014
【図１３】
2008039827.tif 000015
【図１４】
2008039827.tif 000016